(57)【要約】【課題】  赤外光に係る受光カバー及びフィルタを筐体へ容易に取付可能にすると共に、各部材を再利用できる状態で分解可能にする。【解決手段】  プロジェクターの上部筐体１１は、開口１２の内縁からリブ１３ａ、１３ｂを突出する。受光カバー１４は開口１２を閉鎖する蓋板部２０から係合片２１、２２を突出し、各係合片２１、２２に貫通穴を形成する。フィルタ１５は突起１５ｃ、１５ｄを設けており、突起１５ｃ、１５ｄを貫通穴に挿入して受光カバー１４へ取り付ける。受光カバー１４は、開口１２に係合片２１、２２を挿通しリブ１３ａ、１３ｂに係合して上部筐体１１へ取り付ける。受光カバー１４の取り外しは係合片２１、２２の係合解除により行い、フィルタ１５の取り外しは突起１５ｃ、１５ｄを押し込んで貫通穴から離脱させることで行う。【選択図】        図２
2006094233.tif 000002
【特許請求の範囲】
【請求項１】
赤外光の受光に基づいて所定の処理を行う電気機器において、
開口を有する筐体と、
前記開口の周縁の対向的な箇所それぞれから筐体内方へ突出してある被係合部と、
前記開口を閉鎖する赤外光透過性の蓋板部及び該蓋板部から突出して各被係合部それぞれに係合してある複数の係合片を有する蓋部材と、
前記蓋板部の筐体内面側を覆うように配置してあり、赤外光に含まれる特定周波数成分を除去する弾性シート状のフィルタと
を備え、
前記複数の係合片それぞれは、貫通穴を有しており、
前記フィルタは、前記貫通穴それぞれに挿入してある突起を有することを特徴とする電気機器。
【請求項２】
赤外光の受光に基づいて所定の処理を行う電気機器において、
開口を有する筐体と、
前記開口の周縁の対向的な箇所それぞれから筐体内方へ突出してある被係合部と、
前記開口を閉鎖する赤外光透過性の蓋板部及び該蓋板部から突出して各被係合部それぞれに係合してある複数の係合片を有する蓋部材と、
前記蓋板部の筐体内面側を覆うように配置してあり、赤外光に含まれる特定周波数成分を除去する弾性シート状のフィルタと
を備え、
一方の係合片は、貫通穴を有しており、
他方の係合片は、前記フィルタの端部を挟持する挟持部を設けており、
前記フィルタは、前記貫通穴に挿入してある突起を有することを特徴とする電気機器。
【請求項３】
前記フィルタは、前記複数の係合片それぞれに接触する直線辺部を有しており、
前記係合片は、前記直線辺部に線接触的に接触する面を有する請求項１又は請求項２に記載の電気機器。
【請求項４】
前記蓋部材は、前記蓋板部から突出する案内部を有しており、
前記フィルタは、前記案内部に当接する辺部を有する請求項１乃至請求項３のいずれか１つに記載の電気機器。
【請求項５】
前記開口は、矩形状であり、
前記案内部は、複数であり、
各案内部は、前記開口の前記被係合部に応じた周縁に係る辺と直交する両辺の内縁部それぞれに当接するように設けてある請求項４に記載の電気機器。
【請求項６】
赤外光の受光に基づいて所定の処理を行う電気機器において、
赤外光透過性の筐体と、
該筐体の内面から、それぞれが対向するように突出してある突出片と、
各突出片の間で筐体内面を覆うように配置してあり、赤外光に含まれる特定周波数成分を除去する弾性シート状のフィルタと
を備え、
前記突出片それぞれは、貫通穴を有しており、
前記フィルタは、前記貫通穴それぞれに挿入してある突起を有することを特徴とする電気機器。
【発明の詳細な説明】
【技術分野】
【０００１】
本発明は、リモートコントロール装置から発した赤外光を受光して所定の処理を行う電気機器に関し、特に、赤外光の受光用の受光カバー及びフィルタの取付に係る構造に関する。
【背景技術】
【０００２】
従来、テレビジョン装置、録画装置、及びプロジェクター等の各種電気機器は一般的に、機器本体に設けた操作部で操作を行えると共に、赤外光を発するリモートコントロール装置（以下、リモコンと称す）による遠隔操作も可能になっている。リモコンの遠隔操作に対応し、電気機器はリモコンからの赤外光の受光用の受光カバーを筐体に取り付けている。
【０００３】
図８（ａ）（ｂ）は、従来の受光カバーの取付に係る形態を示しており、電気機器の筐体パネル１を内面側から見た斜視図である。電気機器の筐体パネル１は合成樹脂製であり、受光カバー４の取付用の円形の開口２を形成し、開口２の内縁の２箇所に切欠部２ａ、２ｂを設けている。また、筐体パネル１は内面１ａの開口２の周囲箇所からピン３ａ、３ｂを突設している。
【０００４】
一方、受光カバー４は、赤外光を透過できる合成樹脂製の円板形状であり、係止部４ａ、４ｂを突設している。また、筐体パネル１の内方には受光カバー４に対向して赤外光に含まれる特定周波数成分を除去するフィルタ５を取り付けるようにしている。フィルタ５は矩形状であり、ピン３ａ、３ｂを挿入する穴５ａ、５ｂを形成すると共に、受光カバー４の係止部４ａ、４ｂに対応する箇所に凹部５ｃ、５ｄを設けている。
【０００５】
受光カバー４及びフィルタ５を筐体パネル１に取り付けるには、受光カバー４の係止部４ａ、４ｂを開口２の切欠部２ａ、２ｂに挿通してから、図８（ａ）において時計回転方向に回して受光カバー４を開口２に係合する。さらに、フィルタ５の穴５ａ、５ｂに筐体パネル１のピン３ａ、３ｂを挿入すると共に、フィルタ５の凹部５ｃ、５ｄに受光カバー４の係合部４ａ、４ｂを嵌め合わせる。この状態でピン３ａ、３ｂの先端を平たく押しつぶすように溶着を行い、受光カバー４及びフィルタ５を筐体パネル１に固定する（図８（ｂ）参照）。なお、図８（ａ）（ｂ）では図示していないが、筐体パネル１の内部には、フィルタ５に対向して受光素子が配置され、受光カバー４及びフィルタ５を透過した赤外光を受光素子で受光するようにしている。
【０００６】
また、赤外光の受光カバー及びフィルタに関しては下記の特許文献１に開示されており、リモコン側の赤外光の発光に係るカバー及びフィルタの構造に関しては下記の特許文献２、３に夫々開示されている。
【特許文献１】特開２００３−４５２６号公報
【特許文献２】実開昭６１−９７２６６号公報
【特許文献３】実開平２−１３７０７８号公報
【発明の開示】
【発明が解決しようとする課題】
【０００７】
図８（ａ）（ｂ）に示す受光カバー４及びフィルタ５に関する従来の取付構造では、ピン３ａ、３ｂを溶着するので、溶着用の設備が必要になると共に組立程中に溶着工程が入るので、製造コストが上昇し効率的な製造を行えないと云う問題がある。また、一旦、溶着を行うと、調整等により受光カバー４及びフィルタ５を取り外して分解するには、ピン３ａ、３ｂを破断する必要があり、筐体パネル１を再利用できず無駄が大きいと云う問題がある。
【０００８】
本発明は、斯かる問題に鑑みてなされたものであり、溶着を行うことなしに受光カバー及びフィルタを容易に取り付けられると共に、筐体を無駄にすることなしに受光カバー及びフィルタをスムーズに取り外せるようにした電気機器に関する。
【課題を解決するための手段】
【０００９】
上記課題を解決するために本発明に係る電気機器は、赤外光の受光に基づいて所定の処理を行う電気機器において、開口を有する筐体と、前記開口の周縁の対向的な箇所それぞれから筐体内方へ突出してある被係合部と、前記開口を閉鎖する赤外光透過性の蓋板部及び該蓋板部から突出して各被係合部それぞれに係合してある複数の係合片を有する蓋部材と、前記蓋板部の筐体内面側を覆うように配置してあり、赤外光に含まれる特定周波数成分を除去する弾性シート状のフィルタとを備え、前記複数の係合片それぞれは、貫通穴を有しており、前記フィルタは、前記貫通穴それぞれに挿入してある突起を有することを特徴とする。
【００１０】
本発明にあっては、筐体側から突出する被係合部に蓋部材の係合片を係合させることで、蓋部材を筐体の開口に取り付けるので、蓋部材を容易に取り付けられるようになると共に、係合の解除により取り外しも容易に行える。また、フィルタに突起を設けて、蓋部材の係合片に設けた貫通穴にフィルタ自体の弾性変形を利用して挿入することでフィルタを容易に固定できると共に、貫通穴に挿入された突起を押し込んでフィルタ自体を弾性変形させることでフィルタを容易に取り外すことが可能になる。その結果、従来必要であった溶着工程を廃止でき、製造コストを低減して製造工程の効率化を図れると共に、一旦取り付けた各部材の取り外しも筐体を無駄にすることなく行える。
【００１１】
また、本発明に係る電気機器は、赤外光の受光に基づいて所定の処理を行う電気機器において、開口を有する筐体と、前記開口の周縁の対向的な箇所それぞれから筐体内方へ突出してある被係合部と、前記開口を閉鎖する赤外光透過性の蓋板部及び該蓋板部から突出して各被係合部それぞれに係合してある複数の係合片を有する蓋部材と、前記蓋板部の筐体内面側を覆うように配置してあり、赤外光に含まれる特定周波数成分を除去する弾性シート状のフィルタとを備え、一方の係合片は、貫通穴を有しており、他方の係合片は、前記フィルタの端部を挟持する挟持部を設けており、前記フィルタは、前記貫通穴に挿入してある突起を有することを特徴とする。
【００１２】
本発明にあっては、筐体側の被係合部に蓋部材の係合片を係合させることで、蓋部材を容易に筐体の開口へ取り付けることが可能になり、係合解除により蓋部材の取り外しも容易に行える。また、蓋部材の一方の係合片には貫通穴を形成し、他方の係合片には挟持部を設け、フィルタは一方の貫通穴に対応する突起を設けることで、貫通穴及び挟持部によりフィルタを容易に取り付けられる。また、フィルタの取り外しは、貫通穴に挿入された突起を押し込んでフィルタ自体を弾性変形させることで行える。その結果、溶着工程を廃止できると共に、一旦取り付けた各部材も容易に取り外すことが可能になる。
【００１３】
さらに、本発明に係る電気機器は、前記フィルタは、前記複数の係合片それぞれに接触する直線辺部を有しており、前記係合片は、前記直線辺部に線接触的に接触する面を有することを特徴とする。
本発明にあっては、フィルタに直線辺部を設けると共に、各係合片には直線辺部に線接触的に接触する面を設けるので、直線辺部と係合片との線接触がフィルタの回り止めとして機能し、フィルタの姿勢を規制して容易に取付作業を行えると共に、取付後はフィルタの姿勢が確実に固定され、赤外光の受光性能の安定化を図れる。
【００１４】
さらにまた、本発明に係る電気機器は、前記蓋部材は、前記蓋板部から突出する案内部を有しており、前記フィルタは、前記案内部に当接する辺部を有することを特徴とする。
本発明にあっては、蓋部材に案内部を設けると共に、案内部に当接する辺部をフィルタに設けるので、フィルタを蓋部材に取り付ける際にフィルタは案内部で案内されて位置決めされ、フィルタの蓋部材への取付を一層スムーズに行えるようになる。
【００１５】
また、本発明に係る電気機器は、前記開口は、矩形状であり、前記案内部は、複数であり、各案内部は、前記開口の前記被係合部に応じた周縁に係る辺と直交する両辺の内縁部それぞれに当接するように設けてあることを特徴とする。
本発明にあっては、矩形状の開口の対向する辺の内縁部に当接するように複数の案内部を設けるので、蓋部材を開口に取り付ける際、案内部が開口の内縁部に当接して蓋部材が位置決めされることになり、蓋部材を係合に適した姿勢でスムーズに開口へ取り付けることができる。
【００１６】
さらに、本発明に係る電気機器は、赤外光の受光に基づいて所定の処理を行う電気機器において、赤外光透過性の筐体と、該筐体の内面から、それぞれが対向するように突出してある突出片と、各突出片の間で筐体内面を覆うように配置してあり、赤外光に含まれる特定周波数成分を除去する弾性シート状のフィルタとを備え、前記突出片それぞれは、貫通穴を有しており、前記フィルタは、前記貫通穴それぞれに挿入してある突起を有することを特徴とする。
【００１７】
本発明にあっては、赤外光透過性の筐体に設けた複数の突出片に貫通穴を形成すると共に、フィルタに突起を設けるので、フィルタを弾性変形させて突起を貫通穴に挿入して直接的にフィルタを筐体に取り付けられるようになり、少ない部材数で赤外光の受光に係る構成を形成できる。また、フィルタの取り外しは、貫通穴内の突起を押し込んでフィルタ自体を弾性変形させて突起を貫通穴から離脱させることで容易に行える。
【発明の効果】
【００１８】
本発明にあっては、筐体側から突出する被係合部に蓋部材の係合片を係合させる構成なので、蓋部材を筐体に対して自由に脱着でき、また、フィルタに突起を設けて蓋部材の係合片に形成した貫通穴に挿入することで、フィルタの取付及び取り外しも容易になり、溶着を不要にして赤外光の受光に係る部分の組立工程を効率的に行えると共に、各部材の取り外しの際に筐体が無駄になることも解消できる。
【００１９】
本発明にあっては、筐体側の被係合部に蓋部材の係合片を係合する構成なので、蓋部材を容易に筐体の開口へ脱着でき、また、蓋部材の一方の係合片に貫通穴を形成し、他方の係合片には挟持部を設け、フィルタに設けた突起を貫通穴に挿入すると共に挟持部でフィルタの端部を挟持することでフィルタを容易に取り付けることができる。さらに、貫通穴に挿入された突起を押し込んでフィルタ自体を弾性変形させれば、突起の挿入及び挟持部の挟持も解除されフィルタを容易に取り外すことができ、各部材を無駄にすることなく再利用できる。
【００２０】
本発明にあっては、フィルタに直線辺部を設けると共に、各係合片には直線辺部に線接触的に接触する面を設けるので、フィルタの姿勢を規制して容易に取付作業を行えると共に、取り付けたフィルタの姿勢を固定して、赤外光の受光性能の安定化を図れる。
【００２１】
本発明にあっては、蓋部材に案内部を設けると共に、案内部に当接する辺部をフィルタに設けるので、フィルタを案内部で案内してスムーズにフィルタの取付を行える。
本発明にあっては、矩形状の開口の対向する辺の内縁部に当接するように複数の案内部を蓋部材に設けるので、案内部で開口に対する蓋部材の姿勢を位置決めでき、蓋部材の取付作業の容易化を図れる。
【００２２】
本発明にあっては、赤外光透過性の筐体に設けた複数の突出片に貫通穴を形成すると共に、フィルタに突起を設けるので、フィルタを弾性変形させて突起を貫通穴に挿入して直接的にフィルタを筐体に取り付けられることができ、少ない部材数で赤外光の受光に係る構成を形成できる。また、貫通穴内の突起を押し込んでフィルタ自体を弾性変形させることで、フィルタを容易に取り外すことができ、各部材が無駄になることも解消できる。
【発明を実施するための最良の形態】
【００２３】
図１は、本発明の実施形態に係る電気機器に相当するプロジェクター１０の斜視図である。プロジェクター１０は、合成樹脂製の上部筐体１１の前板部１１ａを傾斜させた形状にして、その前面部１１ａの一方の端付近に投射レンズ部１０ａを設けると共に、他方の端付近にプロジェクター１０の操作用のリモコンＲから発せられる赤外光Ｓの受光に係る受光カバー１４（蓋部材に相当）を取り付けている。なお、上部筐体１１は、天板部１１ｂに複数のボタン及びスイッチからなる操作部１０ｂを設けており、上部筐体１１の内部には受光カバー１４と対向するように赤外光の受光素子１０ｃを配置している。プロジェクター１０は、リモコンＲからの赤外光を受光カバー１４を通じて内部の受光素子１０で受光し所定の処理を行う。
【００２４】
図２（ａ）は、上部筐体１１を分解して筐体内部側から見た斜視図であり、天板部１１ｂを下にした状態を示す。上部筐体１１は、前板部１１ａに受光カバー１４を取り付けるための矩形状の開口１２を形成しており、開口１２の夫々対向する短辺縁部１２ａ、１２ｂには筐体内方へ突出するリブ１３ａ、１３ｂ（被係合部に相当）を設けている。受光カバー１４は筐体外方より開口１２を通じて挿入されることで、図２（ｂ）に示すように上部筐体１１へ取り付けられる。
【００２５】
図３は、受光カバー１４及びフィルタ１５を示す斜視図である。なお、図３に示す受光カバー１４は、図２（ａ）（ｂ）に示す状態と天地を逆にした状態で示している。受光カバー１４は全体が合成樹脂で成形されており、上部筐体１１の開口１２を外方から閉鎖する矩形状の蓋板部２０の短辺部分から係合片２１、２２を夫々突出すると共に、長辺縁部分から案内部２３、２４を夫々突出した形態にしている。蓋板部２０は赤外光を透過する特性を有しており、上部筐体１１の傾斜した前板部１１ａに対応して、蓋板部２０が傾斜した状態となるような角度で係合片２１、２２及び案内部２３、２４を突出している（図４参照）。
【００２６】
各係合片２１、２２は、それぞれが対向する内面２１ｂ、２２ｂを平面にしており、蓋板部２０との近接部分に長穴状の貫通穴２１ｃ、２２ｃを形成し、突出側の端部には上部筐体１１のリブ１３ａ、１３ｂ（図２（ａ）（ｂ）参照）に係合する係合爪２１ａ、２２ａを設けている。係合爪２１ａ、２２ａは先端外面に傾斜した倣い面２１ｄ、２２ｄを形成しており、貫通穴２１ｃ、２２ｃは、長手方向を蓋板部２０と平行にしている。
【００２７】
また、受光カバー１４の案内部２３、２４は板状の突出片であり、図２（ａ）に示す開口１２の短辺縁部１２ａ、１２ｂに直交する位置関係の長辺縁部１２ｃ、１２ｄの内縁に各案内部２３、２４の外面２３ｂ、２４ｂが当接するように設けられている。
【００２８】
一方、フィルタ１５は弾性を有するシート状のポリカーボネート製であり、赤外光の特定周波数成分を除去する特性のインクが印刷されている。フィルタ１５は、受光カバー１４の各係合片２１、２２及び各案内部２３、２４で囲まれた蓋板部２０の裏面部２０ａを覆うように配置されるものであり、裏面部２０ａの外周形状に応じた矩形状に形成されている。フィルタ１５の直線状の短辺部１５ａ、１５ｄ（直線辺部に相当）には、受光カバー１４の係合片２１、２２の貫通穴２１ｃ、２２ｃに対応した突起１５ｃ、１５ｄを設けている。
【００２９】
上述したフィルタ１５を受光カバー１４に取り付けるには、フィルタ１５の左右の突起１５ａ、１５ｄを受光カバー１４の係合片２１、２２の内面２１ｂ、２２ｂに当接させて蓋板部２０側へ押し込んでフィルタ１５を全体に弾性変形させて撓ませる。
【００３０】
上述した状態で、図４に示すように、フィルタ１５の一方（図４の下方）の長辺部１５ｆを受光カバー１４の一方の案内部２４の内面２４ａに当接させて図中の矢印方向へ押し込む。なお、この押し込みによる移動に伴いフィルタ１５の他方（図４の上方）の長辺部１５ｅも他方の案内部２３の内面２３ａに当接し、フィルタ１５は上下方向で位置決めされた状態になる。この状態でさらに図中の矢印方向へ移動させると、左右の突起１５ｃ、１５ｄが係合片２１、２２の貫通穴２１ｃ、２２ｃに挿入されてフィルタ１５の全体的な撓みが戻り、フィルタ１５が蓋板部２０の裏面部２０ａに対向した状態で固定される（図５参照）。
【００３１】
このようにフィルタ１５が固定された状態では、フィルタ１５の短辺部１５ａ、１５ｂが係合片２１、２２の内面２１ｂ、２２ｂに夫々線接触的に接触しており、取付にガタが生じてフィルタ１５が回転するような事態も防止される。そのため、突起１５ｃ、１５ｄの挿入が外れることもなくフィルタ１５は確実に固定され、フィルタ１５のズレに伴う赤外光の受光性能が不安定になることも生じない。
【００３２】
フィルタ１５を取り付けた受光カバー１４は、図２（ａ）に示すように、蓋板部２０の傾斜方向を前板部１１ａの傾斜と合わせた向きにして上部筐体１１の外方から開口１２に取り付けられる。受光カバー１４の取付は、先ず、係合片２１、２２を開口１２に挿通し、次に案内部２３、２４の外面２３ｂ、２４ｂを開口１２の長辺縁部１２ｃ、１２ｄの内縁に当接させて上下方向の位置決めを行う。なお、係合片２１、２２は開口１２を通過する際、開口１２の短辺縁部１２ａ、１２ｂが先端の倣い面２１ｄ、２２ｄと当接するため、係合片２１、２２が弾性変形してスムーズに挿通できる。
【００３３】
それから係合片２１、２２の係合爪２１ａ、２２ａが上部筐体１１のリブ１３ａ、１３ｂの先端面１３ｃ、１３ｄを通過すると弾性変形が戻り、リブ１３ａ、１３ｂと係合し、受光カバー１４は上部筐体１１に取り付けられる（図２（ｂ）参照）。この取付状態では、受光カバー１４の案内部２３、２４が開口１２の長辺縁部１２ｃ、１２ｄと当接したままであるため、位置ズレ等が生じることなく固定される。
【００３４】
また、受光カバー１４の取付後、何らかの理由で受光カバー１４及びフィルタ１５を取り外す必要が生じた場合でも、容易に取り外すことができる。具体的には図２（ｂ）に示す状態で、受光カバー１４の係合片２１、２２を両者が接近するように撓ませることで、係合爪２１ａ、２２ａとリブ１３ａ、１３ｂとの係合が解除され、解除された状態で受光カバー１４を開口１２から引き抜けば、受光カバー１４を上部筐体１１から取り外せる。また、フィルタ１５は、図５に示す状態で、貫通穴２１ｃ、２２ｃ内の突起１５ｃ、１５ｄを押し込めば、フィルタ１５が弾性変形して突起１５ｃ、１５ｃの挿入が解除され、フィルタ１５を受光カバー１４から取り外すことができる。
【００３５】
このように、本発明では受光カバー１４の係合片２１、２２及びフィルタ１５の弾性変形を利用して取り外しを行うので、上部筐体１１、受光カバー１４及びフィルタ１５には何ら損傷が生じることはなく、分解後も上部筐体１１、受光カバー１４及びフィルタ１５を再利用できる。
【００３６】
なお、本実施形態に係る赤外光の受光に係る受光カバー１４及びフィルタ１５の取付に関する構造は、プロジェクター１０以外に、リモコンから赤外光を受光するテレビジョン装置及び録画装置等の各種電気機器にも適用可能である。さらに、受光カバー１４とフィルタ１５との取付自体も種々の変形例の適用が可能である。
【００３７】
例えば、図６（ａ）（ｂ）に示す受光カバー２９は、基本的な構成は図３等に示す受光カバー１４と同様であるが、上下の案内部を省略すると共に、一方の係合片３２の内面３２ｂには挟持部３２ｃを突設し、案内部の省略に対応して各係合片３１、３２が図２（ａ）に示す上部筐体１１の長辺縁部１２ｃ、１２ｄに夫々当接する寸法にしていることが受光カバー１４と異なっている。挟持部３２ｃは、図６（ｂ）に示すように、蓋板部３０との間でフィルタ２５を挟持できる位置に設けられており、蓋板部３０との反対側の面は斜めに形成して案内面３２ｄにしている。また、他方の係合片３１は図３等に示す受光カバー１４の係合片２１と同様に貫通穴３１ｃを形成している。
【００３８】
図６（ａ）（ｂ）に示すフィルタ２５は、一方の短辺部２５ｂを直線状にして突起を設けていないことが、図３等に示すフィルタ１５と相異している。なお、フィルタ２５は、その他の点は図３等に示すフィルタ１５と同様であり、他方の短辺部２５ａに突起２５ｃを設けている。
【００３９】
フィルタ２５の受光カバー２９への取付は、フィルタ２５を受光カバー２９の左右の係合片３１、３２の間へ押し込んでいき、フィルタ２５を弾性変形させて一方の短辺部２５ａを挟持部３２ｃの案内面３２ｄに沿って導き、挟持部３２ｃと蓋板部３０との間で挟持させる（図６（ｂ）参照）。また、フィルタ２５の突起２５ｃは貫通穴３１ｃに挿入させる。よって、図６（ａ）（ｂ）に示す変形例では、フィルタ２５の一方の短辺部２５ｂは挟持され、他方の短辺部２５ａは突起２５ｃが貫通穴３１ｃに挿入されることで、全体として安定した状態で固定される。このようにフィルタ２５を固定した受光カバー２９は、図２（ａ）（ｂ）に示す場合と同様に、上部筐体１１の開口１２へ取り付けることができる。
【００４０】
さらに、何らかの理由により、受光カバー２９及びフィルタ２５を分解する場合は、受光カバー２９の係合片３１、３２のリブ１３ａ、１３ｂとの係合を解除して、受光カバー２９を上部筐体１１から取り外す。この状態で受光カバー２９の貫通穴３１ｃ内の突起２５ｃを押し込み、フィルタ２５を弾性変形させて突起２５ｃを貫通穴３１ｃから離脱させ、それから一方の短辺部２５ｂを蓋板部３０と挟持部３２ｃとの間から引き出すことで容易にフィルタ２５を受光カバー２９から分解できる。なお、変形例の受光カバー２９に、図３等の受光カバー１４のように案内部２３、２４を設けることは可能である。
【００４１】
また、図７は別の変形例を示しており、受光カバーを省略するために上部筐体５１自体を赤外光透過性の合成樹脂で成形し、前板部５１ａの内面から突出片５３ａ、５３ｂを夫々対向した状態で突出している。また、各突出片５３ａ、５３ｂには、図３等に示す受光カバー１４の係合片２１、２２と同様に貫通穴５３ｃ、５３ｄを形成している。フィルタ１５は、図３等に示すものと同様の構成であり、突起１５ｃ、１５ｄを各突出片５３ａ、５３ｂの貫通穴５３ｃ、５３ｄに挿入することで、前板部５１ａの各突出片５３ａ、５３ｂの間となる内面を覆うように配置されて固定される。なお、フィルタ１５の固定箇所を上部筐体５１の外方から明確にするためには、前板部５１ａの外面にフィルタ１５の固定箇所に対応した輪郭を示す縁部等を形成することが好適である。
【００４２】
上部筐体５１の各突出片５３ａ、５３ｂに固定されたフィルタ１５の取り外しは、上記と同様に、貫通穴５３ｃ、５３ｄ内の突起１５ｃ、１５ｄを押し込んでフィルタ１５を撓ませて突起１５ｃ、１５ｄを貫通穴５３ｃ、５３ｄから離脱させることで容易に行える。なお、図７に示す変形例の構成においても、図６に示す貫通穴の替わりに挟持部を設けた構成の適用も可能である。
【図面の簡単な説明】
【００４３】
【図１】本発明の実施形態に係るプロジェクターの斜視図である。
【図２】（ａ）は受光カバーを上部筐体の開口へ取り付ける前の状態を示す斜視図であり、（ｂ）は取付後の状態を示す斜視図である。
【図３】受光カバー及びフィルタの分解状態を示す斜視図である。
【図４】図３のＡ−Ａ線における断面図である。
【図５】フィルタを取り付けた状態の受光カバーを示す斜視図である。
【図６】本発明の変形例であり、（ａ）は受光カバー及びフィルタの分解状態を示す斜視図、（ｂ）は（ａ）のＢ−Ｂ線における断面図である。
【図７】本発明の別の変形例であり、上部筐体にフィルタを取り付ける状態を示す斜視図である。
【図８】従来の取付構造であり、（ａ）は受光カバー及びフィルタを筐体パネルへ取り付ける前の状態を示す斜視図であり、（ｂ）は取付後の状態を示す斜視図である。
【符号の説明】
【００４４】
１１  上部筐体
１２  開口
１３ａ、１３ｂ  リブ
１４  受光カバー
１５  フィルタ
１５ａ、１５ｂ  短辺部
１５ｃ、１５ｄ  突起
２０  蓋板部
２１、２２  係合片
２１ａ、２２ａ  係合爪
２１ｃ、２２ｃ  貫通穴
２３、２４  案内部
３２ｃ  挟持部
５３ａ、５３ｂ  突出片
【図１】
2006094233.tif 000003
【図２】
2006094233.tif 000004
【図３】
2006094233.tif 000005
【図４】
2006094233.tif 000006
【図５】
2006094233.tif 000007
【図６】
2006094233.tif 000008
【図７】
2006094233.tif 000009
【図８】
2006094233.tif 000010